(57)【要約】【課題】本発明の目的は、低コストで操作表示装置の視認性を向上させることにある。【解決手段】操作表示パネルは、機器を操作するための操作部と、機器に関する情報を表示する表示部とを含む。導光板は、透光性材料で形成されており、操作表示パネルに重ねて配置されている。光源は、導光板の端面から導光板の内部に向かって光を照射する。制御部は、光源を制御する。導光板は、複数のプリズムを含む。複数のプリズムは、光源からの光を反射することで導光板の表面に所定のパターンを表示させる。制御部は、光源を制御して、所定のパターンの表示を切り換える。【選択図】図１
2019154859.tif 000002
【特許請求の範囲】
【請求項１】
機器を操作するための操作表示装置であって、
前記機器を操作するための操作部と、前記機器に関する情報を表示する表示部とを含む操作表示パネルと、
前記操作表示パネルに重ねて配置され、透光性材料で形成された導光板と、
前記導光板の端面から前記導光板の内部に向かって光を照射する光源と、
前記光源を制御する制御部と、
を備え、
前記導光板は、前記光源からの光を反射することで前記導光板の表面に所定のパターンを表示させる複数のプリズムを含み、
前記制御部は、前記光源を制御して、前記所定のパターンの表示を切り換える、
操作表示装置。
【請求項２】
前記所定のパターンは、前記表示部の少なくとも一部に重ねて表示される、
請求項１に記載の操作表示装置。
【請求項３】
前記制御部は、前記所定のパターンの表示と非表示とを切り換える、
請求項１又は２に記載の操作表示装置。
【請求項４】
前記制御部は、前記操作部の操作に応じて、前記所定のパターンの表示を切り換える、
請求項１から３のいずれかに記載の操作表示装置。
【請求項５】
前記所定のパターンは、前記表示部の少なくとも一部を強調表示する、
請求項１から４のいずれかに記載の操作表示装置。
【請求項６】
前記所定のパターンは、前記表示部に含まれる文字、記号、又はアイコンよりも大きな文字、記号、又はアイコンを含む、
請求項１から５のいずれかに記載の操作表示装置。
【請求項７】
前記所定のパターンは、前記機器の動作モードを示す複数のモード表示を含み、
前記制御部は、前記機器の動作モードに応じて前記モード表示を切り換える、
請求項１から６のいずれかに記載の操作表示装置。
【請求項８】
前記所定のパターンは、複数の警告表示を含み、
前記制御部は、前記機器の状態に応じて、前記警告表示を切り換える、
請求項１から７のいずれかに記載の操作表示装置。
【請求項９】
前記所定のパターンは、前記機器に関する所定のパラメータを示すパラメータ表示を含み、
前記制御部は、前記パラメータの変化に応じて前記パラメータ表示を切り換える、
請求項１から８のいずれかに記載の操作表示装置。
【請求項１０】
前記パラメータ表示は、複数のセグメントを含み、
前記複数のプリズムは、前記複数のセグメントのそれぞれに対応して配置され、
前記制御部は、前記複数のセグメントのそれぞれの表示と非表示とを切り換えることで、前記パラメータを表示する、
請求項９に記載の操作表示装置。
【請求項１１】
前記パラメータ表示は、７セグメント表示を含み、
前記制御部は、前記７セグメント表示によって前記パラメータを数値で表示する、
請求項９又は１０に記載の操作表示装置。
【請求項１２】
前記所定のパターンは、前記機器に関する第１のパラメータを示す第１パラメータ表示と、前記第１のパラメータと異なる第２のパラメータを示す第２パラメータ表示と、を含み、
前記制御部は、前記第１パラメータ表示と前記第２パラメータ表示とを切り換えて表示する、
請求項１から１１のいずれかに記載の操作表示装置。
【請求項１３】
前記表示部は、液晶ディスプレイを含み、
前記所定のパターンは、前記液晶ディスプレイに重ねて表示される、
請求項１から１２のいずれかに記載の操作表示装置。
【請求項１４】
前記表示部は、複数の印刷表示を含み、
前記所定のパターンは、前記複数の印刷表示に対応する複数の照射パターンを含み、
前記制御部は、前記複数の照射パターンの少なくとも１つを表示することで、前記複数の印刷表示から選択された少なくとも１つを照射する、
請求項１から１３のいずれかに記載の操作表示装置。
【請求項１５】
前記光源は、前記表示部の表示色と異なる色の光を照射する、
請求項１４に記載の操作表示装置。
【発明の詳細な説明】
【技術分野】
【０００１】
本発明は、操作表示装置に関する。
【背景技術】
【０００２】
機器を操作するための操作表示装置には、機器に関する情報を表示するための表示部が設けられている。例えば、特許文献１の操作表示装置は、液晶パネルを含む。特許文献１では、液晶パネルは、洗濯機に設けられ、洗濯・すすぎ・脱水・乾燥の各行程の設定時間や運転コース等を表示する。また、液晶パネルの視認性を向上させるために、各行程ごとにバックライトの色を変化させることが記載されている。
【０００３】
特許文献２の操作表示装置は、複数種類の操作画面を表示可能な液晶パネルを含む。液晶パネルは、タッチ操作式のパネルであり、タッチ操作に応じて表示する操作画面を遷移させることができる。
【先行技術文献】
【特許文献】
【０００４】
【特許文献１】特開２０１３−９４２１８号公報
【特許文献２】特開２０１４−０３３８４６号公報
【発明の概要】
【発明が解決しようとする課題】
【０００５】
特許文献１の操作表示装置では、液晶パネルは、セグメント方式による簡易な液晶表示である。そのため、表示の内容とその位置とは固定されている。従って、液晶パネル内の限られた範囲内に複数の表示を含めるために、表示の数や各表示の大きさは限定される。そのため、液晶パネル内の表示の視認性を向上させることは困難である。
【０００６】
特許文献２のような液晶パネルであれば、様々な表示を切り換えて表示することができる。そのため、容易に視認性を向上させることができる。しかし、特許文献２のような表示の自由度が高い液晶パネルはコストが高い。
【０００７】
本発明の目的は、低コストで操作表示装置の視認性を向上させることにある。
【課題を解決するための手段】
【０００８】
本開示の一態様は、機器を操作するための操作表示装置であって、操作表示パネルと、導光板と、光源と、制御部と、を含む。操作表示パネルは、機器を操作するための操作部と、機器に関する情報を表示する表示部とを含む。導光板は、透光性材料で形成されており、操作表示パネルに重ねて配置されている。光源は、導光板の端面から導光板の内部に向かって光を照射する。制御部は、光源を制御する。導光板は、複数のプリズムを含む。複数のプリズムは、光源からの光を反射することで導光板の表面に所定のパターンを表示させる。制御部は、光源を制御して、所定のパターンの表示を切り換える。
【０００９】
本態様に係る操作表示装置では、操作表示パネルに重ねて配置された導光板の表面に所定のパターンを表示させることができる。また、不要なときには所定のパターンを表示させないことで、操作表示パネルを容易に視認することができる。従って、導光板に表示させるパターンの大きさ及び位置の自由度が高い。そのため、視認性を容易に向上させることができる。また、導光板に表示される所定のパターンはプリズムの形状や配置で調整することができる。そのため、表示の自由度が高い液晶パネルが用いられる場合と比べて、コストを低減することができる。
【００１０】
所定のパターンは、表示部の少なくとも一部に重ねて表示されてもよい。この場合、表示部の配置に関らず、パターンを目立つように大きく表示することができる。
【００１１】
制御部は、所定のパターンの表示と非表示とを切り換えてもよい。この場合、不要な場合にはパターンを非表示とすることで、操作表示パネルの視認性が阻害されることを防止できる。
【００１２】
制御部は、操作部の操作に応じて、所定のパターンの表示を切り換えてもよい。この場合、ユーザーは、操作部の操作を視覚的に容易に理解することができる。
【００１３】
所定のパターンは、表示部の少なくとも一部を強調表示してもよい。この場合、導光板に表示される所定のパターンによって、表示部の少なくとも一部の視認性を向上させることができる。
【００１４】
所定のパターンは、表示部に含まれる文字、記号、又はアイコンよりも大きな文字、記号、又はアイコンを含んでもよい。この場合、表示部に含まれる文字、記号、又はアイコンよりも視認性の高い文字、記号、又はアイコンを導光板に表示することができる。
【００１５】
所定のパターンは、機器の動作モードを示す複数のモード表示を含んでもよい。制御部は、機器の動作モードに応じてモード表示を切り換えてもよい。この場合、ユーザーは、機器の動作モードを視覚的に容易に把握することができる。
【００１６】
所定のパターンは、複数の警告表示を含んでもよい。制御部は、機器の状態に応じて、警告表示を切り換えてもよい。この場合、ユーザーは、機器の状態を視覚的に容易に把握することができる。
【００１７】
所定のパターンは、機器に関する所定のパラメータを示すパラメータ表示を含んでもよい。制御部は、パラメータの変化に応じてパラメータ表示を切り換えてもよい。この場合、ユーザーは、パラメータの変化を視覚的に容易に把握することができる。
【００１８】
パラメータ表示は、複数のセグメントを含んでもよい。複数のプリズムは、複数のセグメントのそれぞれに対応して配置されてもよい。制御部は、複数のセグメントのそれぞれの表示と非表示とを切り換えることで、パラメータを表示してもよい。この場合、複数のセグメントの表示と非表示とによって、ユーザーは、パラメータの変化を視覚的に容易に把握することができる。
【００１９】
パラメータ表示は、７セグメント表示を含んでもよい。制御部は、７セグメント表示によってパラメータを数値で表示してもよい。この場合、７セグメント表示による数値によって、ユーザーは、パラメータの変化を視覚的に容易に把握することができる。
【００２０】
所定のパターンは、機器に関する第１のパラメータを示す第１パラメータ表示と、第１のパラメータと異なる第２のパラメータを示す第２パラメータ表示と、を含んでもよい。制御部は、第１パラメータ表示と第２パラメータ表示とを切り換えて表示してもよい。この場合、必要に応じて、互いに異なる第１パラメータ表示と第２パラメータ表示とを切り換えて表示することができる。
【００２１】
表示部は、液晶ディスプレイを含んでもよい。所定のパターンは、液晶ディスプレイに重ねて表示されてもよい。この場合、所定のパターンによって液晶ディスプレイの表示を補助することができる。そのため、コストの低い液晶ディスプレイが用いられても、表示の自由度を向上させることができる。
【００２２】
表示部は、複数の印刷表示を含んでもよい。所定のパターンは、複数の印刷表示に対応する複数の照射パターンを含んでもよい。制御部は、複数の照射パターンの少なくとも１つを表示することで、複数の印刷表示から選択された少なくとも１つを照射してもよい。この場合、複数の印刷表示から選択された少なくとも１つを強調して表示することができる。また、印刷表示の裏側から選択されたインジケータに対応するダイオード等の光源を発光させる装置と比べて、コストを低減することができる。
【００２３】
光源は、表示部の表示色と異なる色の光を照射してもよい。この場合、所定のパターンの色によって表示部の表示を補助することができる。そのため、コストの低い表示部、例えばモノクロの表示部が用いられても、表示の自由度を向上させることができる。
【発明の効果】
【００２４】
本発明によれば、低コストで操作表示装置の視認性を向上させることができる。
【図面の簡単な説明】
【００２５】
【図１】操作表示装置の構成を示す模式図である。
【図２】導光板の構成を示す模式図である。
【図３】プリズムの形状を示す斜視図である。
【図４】導光板に表示される第１のパターンの一例を示す図である。
【図５】導光板に表示される第２のパターンの一例を示す図である。
【図６】操作表示パネルと導光板ディスプレイとの第１の表示例を示す図である。
【図７】操作表示パネルと導光板ディスプレイとの第２の表示例を示す図である。
【図８】操作表示パネルと導光板ディスプレイとの第３の表示例を示す図である。
【図９】操作表示パネルと導光板ディスプレイとの第４の表示例を示す図である。
【図１０】操作表示パネルと導光板ディスプレイとの第５の表示例を示す図である。
【図１１】操作表示パネルと導光板ディスプレイとの第６の表示例を示す図である。
【図１２】操作表示パネルと導光板ディスプレイとの第７の表示例を示す図である。
【図１３】操作表示パネルと導光板ディスプレイとの第８の表示例を示す図である。
【図１４】操作表示パネルと導光板ディスプレイとの第９の表示例を示す図である。
【図１５】第１実施例に係る洗濯機を示す斜視図である。
【図１６】第１実施例に係る操作表示装置の一例を示す図である。
【図１７】第１実施例に係る操作表示装置の表示例を示す図である。
【図１８】第１実施例に係る操作表示装置の表示例を示す図である。
【図１９】第１実施例に係る操作表示装置の表示例を示す図である。
【図２０】第２実施例に係るファンヒーターを示す斜視図である。
【図２１】第２実施例に係る操作表示装置の一例を示す図である。
【図２２】第２実施例に係る操作表示装置の表示例を示す図である。
【図２３】第２実施例に係る操作表示装置の表示例を示す図である。
【図２４】第２実施例に係る操作表示装置の表示例を示す図である。
【図２５】他の実施形態に係るプリズムの例を示す図である。
【図２６】他の実施形態に係る光源の配置の例を示す図である。
【発明を実施するための形態】
【００２６】
以下、図面を参照して実施形態にかかる操作表示装置について説明する。図１は、操作表示装置１の構成を示す模式図である。操作表示装置１は、操作表示パネル２と、導光板ディスプレイ３とを含む。操作表示パネル２は、操作部４と表示部５とを含む。操作部４は、操作表示装置１が設けられた機器を操作するためのスイッチである。表示部５は、機器に関する情報を表示する。
【００２７】
導光板ディスプレイ３は、導光板１０と、複数の光源１１，１２と、制御部１３と、記憶部１４とを含む。導光板１０は、操作表示パネル２に重ねて配置されている。導光板１０は表示部５に重ねて配置されている。導光板１０は、透光性材料で形成されている。導光板１０は、例えばポリメチルメタクリレート（ＰＭＭＡ）、ポリカーボネート、或いはシクロオレフィンポリマーなどの透明な樹脂で形成されている。
【００２８】
複数の光源１１，１２は、導光板１０の端面から導光板１０の内部に向かって光を照射する。複数の光源１１，１２は、第１の光源１１と第２の光源１２とを含む。光源１１，１２は、例えば発光ダイオードである。ただし、発光ダイオード以外の光源が用いられてもよい。光源１１，１２は、制御部１３からの制御信号に応じて点灯または消灯する。
【００２９】
制御部１３は、ＣＰＵ（Central Processing Unit）などのプロセッサと、ＲＡＭ（Random Access Memory）及びＲＯＭ（Read Only Memory）等のメモリとを含む。記憶部１４は、例えば、ハードディスクドライブ、ソリッドステートドライブ等の補助記憶装置である。制御部１３は、記憶部１４に保存されたプログラムやデータに基づいて光源１１，１２を制御する。
【００３０】
導光板１０は、導光板１０の表面に所定のパターンを表示させる複数のプリズム２０を含む。図２は、導光板１０の構成の一例を示す模式図である。図２に示すように、プリズム２０は、導光板１０の裏面１５に設けられている。プリズム２０は、光源１１又は１２からの光を導光板１０の表面１６に向けて反射することで、導光板１０の表面１６に所定のパターンを表示させるように配列されている。なお、図面においては、プリズム２０を強調して表示しているため、実際の大きさとは異なる。
【００３１】
図３は、プリズム２０の一例を示す図である。図３に示す例では、プリズム２０は、三角錐状の溝である。プリズム２０は、反射面２０１と拡散面２０２，２０３とを含む。反射面２０１は、特定の光源（光源１１，１２の一方）からの光を全反射させて、導光板１０の表面１６から所定の視野範囲内に出射するように配置される。所定の視野範囲は、導光板１０の表面１６の法線方向を基準とする所定の角度範囲であり、操作表示装置１のユーザーが導光板１０のパターンを視認可能な範囲である。拡散面２０２，２０３は、特定の光源以外からの光をユーザーが視認できないように、所定の視野範囲外の方向へ向けて反射するように配置される。
【００３２】
導光板１０は、複数のパターンを表示可能である。複数のパターンは、例えば、図４に示す第１のパターン３１と、図５に示す第２のパターン３２とを含む。導光板１０の複数のプリズム２０は、図４に示す複数の第１のプリズム２１と、図５に示す複数の第２のプリズム２２とを含む。複数の第１のプリズム２１は、第１のパターン３１に沿って配置される。複数の第２のプリズム２２は、第２のパターン３２に沿って配置される。なお、図面においては、第１のプリズム２１と第２のプリズム２２との一部のみに符号を付している。
【００３３】
第１のプリズム２１は、第１の光源１１からの光を反射して、導光板１０の表面１６に第１のパターン３１を表示するように配列されている。第２のプリズム２２は、第２の光源１２からの光を反射して、導光板１０の表面１６に第２のパターン３２を表示するように配列されている。
【００３４】
制御部１３は、第１の光源１１及び第２の光源１２の点灯と消灯とを制御して、第１のパターン３１と第２のパターン３２との表示を切り換える、制御部１３は、例えば、第１の光源１１を点灯させ、第２の光源１２を消灯する。それにより、図４に示すように、導光板１０には第１のパターン３１のみが表示される。制御部１３が第２の光源１２を点灯させ、第１の光源１１を消灯すると、図５に示すように、導光板１０には第２のパターン３２のみが表示される。
【００３５】
制御部１３が第１の光源１１と第２の光源１２との両方を消灯すると、第１のパターン３１及び第２のパターン３２の両方が非表示となる。また、制御部１３が第１の光源１１及び第２の光源１２の両方を点灯すると、第１のパターン３１と第２のパターン３２との両方が導光板１０に表示される。なお、図４及び図５に示す例では、導光板１０において、第１のパターン３１と第２のパターン３２とは互いに重なる位置に配置されている。しかし、導光板１０において、第１のパターン３１と第２のパターン３２とが離れて配置されてもよい。
【００３６】
図６は、操作表示パネル２と導光板ディスプレイ３との第１の表示例を示す図である。上述した操作部４は、複数の操作スイッチ１７，１８を含む。操作スイッチ１７，１８は、例えば押しボタン式のスイッチである。操作スイッチ１７，１８は、スライド式、或いは回転式などの機械式のスイッチであってもよい。操作スイッチ１７，１８は、タッチパネル式のスイッチであってもよい。操作スイッチ１７，１８は、機器の処理の開始、或いは機器の設定を入力をするためのスイッチを含む。複数の操作スイッチ１７，１８は、第１スイッチ１７と第２スイッチ１８とを含む。
【００３７】
表示部５は、液晶ディスプレイ１９を含む。液晶ディスプレイ１９は、例えば７セグメント表示のディスプレイである。表示部５は、液晶ディスプレイ１９において、機器に関するパラメータを数値で表示する。液晶ディスプレイ１９は、例えば機器の時間に関するパラメータを数値で表示する。液晶ディスプレイ１９は、例えば機器で使用される物質の量に関するパラメータを数値で表示する。
【００３８】
表示部５は、複数の印刷表示３３，３４を含む。印刷表示３３，３４のそれぞれは、例えば操作スイッチ１７，１８に割り当てられた設定に対応している。複数の印刷表示３３，３４は、第１表示３３と第２表示３４とを含む。第１表示３３は、第１スイッチ１７に割り当てられた第１の設定に対応している。第２表示３４は、第２スイッチ１８に割り当てられた第２の設定に対応している。
【００３９】
図６（Ａ）に示すように、表示部５上には、導光板１０が重ねて配置されている。導光板１０は透明であるため、制御部１３が導光板１０のパターンを非表示とすると、ユーザーは、表示部５の表示を全て視認することができる。
【００４０】
制御部１３が第１の光源１１を点灯すると、図６（Ｂ）に示すように、第１のパターン３１が導光板１０に表示される。第１のパターン３１は、液晶ディスプレイ１９に重ねて表示されている。従って、表示部５の広い範囲を利用して、第１のパターン３１を大きく目立つように表示することができる。
【００４１】
制御部１３が第２の光源１２を点灯すると、図６（Ｃ）に示すように、第２のパターン３２が導光板１０に表示される。第１のパターン３１と同様に、第２のパターン３２は、液晶ディスプレイ１９に重ねて表示されている。従って、表示部５の広い範囲を利用して、第２のパターン３２を大きく目立つように表示することができる。
【００４２】
例えば、第１のパターン３１は、第１の設定を示す表示である。制御部１３は、ユーザーが第１スイッチ１７を押して第１の設定を選択すると、第１のパターン３１を導光板１０に表示させる。第１のパターン３１は、第１表示３３よりも大きく表示される。第２のパターン３２は、第２の設定を示す表示である。制御部１３は、ユーザーが第２スイッチ１８を押して第２の設定を選択すると、第２のパターン３２を導光板１０に表示させる。第２のパターン３２は、第２表示３４よりも大きく表示される。
【００４３】
図７は、操作表示パネル２と導光板ディスプレイ３との第２の表示例を示す図である。図７（Ａ）では、図６（Ａ）と同様に、第１のパターン３１と第２のパターン３２との両方が導光板１０に表示されていない。制御部１３が第１の光源１１を点灯すると、図７（Ｂ）に示すように、第１のパターン３１が導光板１０に表示される。本例では、第１表示３３例における印刷された第１表示３３に代えて、導光板１０に第１のパターン３１が表示される。第１のパターン３１は、液晶ディスプレイ１９と重ならない位置に表示される。従って、液晶ディスプレイ１９の表示を妨げずに、第１のパターン３１を表示することができる。
【００４４】
制御部１３が第２の光源１２を点灯すると、図７（Ｃ）に示すように、第２のパターン３２が導光板１０に表示される。本例では、第１表示３３例における印刷された第２表示３４に代えて、導光板１０に第２のパターン３２が表示される。第１のパターン３１と同様に、第２のパターン３２は、液晶ディスプレイ１９と重ならない位置に表示される。また、第２のパターン３２は、第１のパターン３１とも異なる位置に表示される。ただし、第１の表示例と同様に、第２のパターン３２は、第１のパターン３１と重なる位置に表示されてもよい。
【００４５】
図８は、操作表示パネル２と導光板ディスプレイ３との第３の表示例を示す図である。図８（Ａ）では、図６（Ａ）と同様に、第１のパターン３１と第２のパターン３２との両方が導光板１０に表示されていない。制御部１３が第１の光源１１を点灯すると、図８（Ｂ）に示すように、第１のパターン３１が導光板１０に表示される。本例では、第１のパターン３１は、印刷された第１表示３３を強調表示する。第１のパターン３１は、第１表示３３に対応する位置を照射することで、第１表示３３を強調表示する。
【００４６】
制御部１３が第２の光源１２を点灯すると、図８（Ｃ）に示すように、第２のパターン３２が導光板１０に表示される。第２のパターン３２は、印刷された第２表示３４を強調表示する。第２のパターン３２は、第２表示３４に対応する位置を照射することで、第２表示３４を強調表示する。なお、光源１１，１２は、表示部５の表示色と異なる色の光を照射してもよい。
【００４７】
図９は、操作表示パネル２と導光板ディスプレイ３との第４の表示例を示す図である。第４の表示例では、制御部１３は、機器の動作モードに応じてモード表示を切り換える。動作モードは、例えば第１モードと第２モードとを含む。図９（Ａ）では、図６（Ａ）と同様に、第１のパターン３１と第２のパターン３２との両方が導光板１０に表示されていない。
【００４８】
機器の動作モードが第１モードであるときには、図９（Ｂ）に示すように、制御部１３は第１の光源１１を点灯して、第１のパターン３１を導光板１０に表示させる。機器の動作モードが第２モードであるときには、図９（Ｃ）に示すように、制御部１３は第２の光源１２を点灯して、第２のパターン３２を導光板１０に表示させる。本例では、第１のパターン３１及び第２のパターン３２は、動作モードを示す文字であるが、記号或いはアイコンであってもよい。
【００４９】
制御部１３は、操作部４によって選択された動作モードに対応するパターンを導光板１０に表示してもよい。或いは、制御部１３は、自動的に動作モードを切り換え、現在実行中の動作モードに対応するパターンを導光板１０に表示してもよい。
【００５０】
図１０は、操作表示パネル２と導光板ディスプレイ３との第５の表示例を示す図である。第５の表示例では、制御部１３は、機器の状態に応じて、複数の警告表示を切り換えて導光板１０に表示する。図１０（Ａ）では、図６（Ａ）と同様に、第１のパターン３１と第２のパターン３２との両方が導光板１０に表示されていない。
【００５１】
機器の状態が所定の第１状態になると、図１０（Ｂ）に示すように、制御部１３は第１の光源１１を点灯して、第１のパターン３１を導光板１０に表示させる。第１のパターン３１は、第１状態に対応する警告表示である。機器の状態が所定の第２状態になると、図１０（Ｃ）に示すように、制御部１３は第２の光源１２を点灯して、第２のパターン３２を導光板１０に表示させる。第２のパターン３２は、第２状態に対応する警告表示である。警告表示は、例えば、機器の状態に応じてユーザーに対応を促す表示である。警告表示は、エラーコードであってもよい。警告表示は、文字に限らず、記号或いはアイコンであってもよい。
【００５２】
なお、第１〜第５の表示例において、パターンの数は、２つに限らず１つであってもよい。或いは、パターンの数は、３つ以上であってもよい。
【００５３】
図１１は、操作表示パネル２と導光板ディスプレイ３との第６の表示例を示す図である。第６の表示例では、所定のパターンは、７セグメント表示を構成している。詳細には、所定のパターンは、第１〜第７パターン４１−４７を含む。導光板１０には、第１〜第７パターン４１−４７のそれぞれに対応して、複数の第１〜第７プリズム５１−５７が設けられている。制御部１３は、第１〜第７パターン４１−４７のそれぞれの表示と非表示とを切り換えることで、機器のパラメータを数値で表示する。なお、図示を省略するが、導光板ディスプレイ３は、第１〜第７パターン４１−４７のそれぞれに対応した複数の光源を含む。
【００５４】
図１１（Ａ）に示すように、制御部１３が複数の光源の全てを消灯すると、導光板１０には全てのパターンが表示されない。図１１（Ｂ）に示すように、制御部１３が第１〜第７パターン４１−４７の一部又は全てを表示すると、導光板１０には点灯されたパターンに応じた数値が表示される。制御部１３は、機器のパラメータが示す数値に対応するパターンを導光板１０に表示する。パラメータが示す数値が変化すると、制御部１３は、変化した数値に対応して、導光板１０に表示するパターンを変更する。なお、図１１では１桁の数値が導光板１０に表示されているが、２桁以上の数値が導光板１０に表示されてもよい。
【００５５】
図１２は、操作表示パネル２と導光板ディスプレイ３との第７の表示例を示す図である。第７の表示例では、複数のパターン４１−４３は、複数のバー型のセグメントを構成している。例えば、複数のパターンは、第１〜第３のパターン４１−４３を含み、導光板１０には、第１〜第３のパターン４１−４３のそれぞれに対応して、複数の第１〜第３のプリズム５１−５３が設けられている。図１２（Ａ）から図１２（Ｃ）に示すように、制御部１３は、第１〜第３パターン４１−４３のそれぞれの表示と非表示とを切り換えることで、表示されるセグメントの数で、機器のパラメータを表示する。
【００５６】
なお、図示を省略するが、導光板ディスプレイ３は、第１〜第３パターン４１−４３のそれぞれに対応した複数の光源を含む。セグメントに対応するパターンの数は、３つに限らず、３つより少ない、或いは３つより多くてもよい。
【００５７】
図１３は、操作表示パネル２と導光板ディスプレイ３との第８の表示例を示す図である。第８の表示例では、複数のパターン４１−４６は、複数の扇型のセグメントを構成している。複数の扇型のセグメントは、全体で円形となる。例えば、複数のパターン４１−４６は、第１〜第６のパターン４１−４６を含む。導光板１０には、第１〜第６のパターン４１−４６のそれぞれに対応して、複数の第１〜第６のプリズム５１−５６が設けられている。図１３（Ａ）から図１３（Ｃ）に示すように、制御部１３は、第１〜第６パターン４１−４６のそれぞれの表示と非表示とを切り換えることで、表示されるセグメントの数で、機器のパラメータを表示する。
【００５８】
なお、図示を省略するが、導光板ディスプレイ３は、第１〜第６パターン４１−４６のそれぞれに対応した複数の光源を含む。セグメントに対応するパターンの数は、６つに限らず、６つより少ない、或いは６つより多くてもよい。
【００５９】
第６〜第８の表示例において、パラメータは、機器の動作の経過時間、或いは残り時間などであってもよく、制御部１３が、カウントしたそれらの値に応じて、導光板１０に表示してもよい。パラメータは、機器で使用される物質の量であってもよく、制御部１３が、検出した物質の量に応じて、導光板１０に表示してもよい。或いは、制御部１３は、ユーザーによる操作部４の操作によって設定された数値を導光板１０に表示してもよい。
【００６０】
上述した第６〜第８の表示例における導光板１０のパターンが、制御部１３によって選択的に導光板１０に表示されてもよい。例えば、図１４は、操作表示パネル２と導光板ディスプレイ３との第９の表示例を示す図である。所定のパターンは、図１４（Ａ）に示す第１パラメータ表示３５と、図１４（Ｂ）に示す第２パラメータ表示３６とを含んでもよい。第１パラメータ表示３５は、機器に関する第１のパラメータを示す。第２パラメータ表示３６は、第１のパラメータと異なる第２のパラメータを示す。本例では、第１パラメータ表示３５と第２パラメータ表示３６とは互いに重なる位置に配置されている。
【００６１】
第１のパラメータは、例えば機器の時間に関するパラメータであってもよい。第２のパラメータは、機器で使用される物質の量であってもよい。或いは、第１パラメータと第２パラメータとは、それぞれ異なる種類の時間であってもよい。或いは、第１パラメータと第２パラメータとは、それぞれ異なる種類の物質の量であってもよい。
【００６２】
制御部１３は、第１パラメータ表示３５と第２パラメータ表示３６とを切り換えて表示する。制御部１３は、ユーザーによる操作部４の操作に応じて、第１パラメータ表示３５と第２パラメータ表示３６とを切り換えて表示してもよい。或いは、制御部１３は、制御部１３による判定に応じて、第１パラメータ表示３５と第２パラメータ表示３６とを切り換えて表示してもよい。
【００６３】
なお、第１パラメータ表示３５と第２パラメータ表示３６とは、互いに重ならない位置に配置されてもよい。また、第１パラメータ表示３５或いは第２パラメータ表示３６を構成するセグメントの形状は、第７の表示例のようなバー型、或いは第８の表示例のような扇形に限らず、他の形状であってもよい。或いは、第１パラメータ表示３５或いは第２パラメータ表示３６は７セグメント表示であってもよい。また、第１表示３３例から第８表示例のパターンが組み合わされて、導光板１０に表示されてもよい。
【００６４】
以上説明した本実施形態に係る操作表示装置１では、操作表示パネル２に重ねて配置された導光板１０の表面１６に所定のパターンを表示させることができる。また、不要なときには所定のパターンを表示させないことで、操作表示パネル２を容易に視認することができる。従って、導光板１０に表示させるパターンの大きさ及び位置の自由度が高い。そのため、視認性を容易に向上させることができる。また、導光板１０に表示される所定のパターンはプリズム２０の形状や配置で調整することができる。そのため、表示の自由度が高い液晶パネルが用いられる場合と比べて、コストを低減することができる。
【００６５】
次に、操作表示装置が適用される実施例について説明する。図１５は、第１実施例に係る洗濯機１００を示す斜視図である。図１５に示すように、洗濯機１００の上部には操作表示装置１ａが配置されている。図１６は、第１実施例に係る操作表示装置１ａの一例を示す図である。
【００６６】
図１６に示すように、操作表示装置１ａは、操作表示パネル２ａと、導光板ディスプレイ３ａとを含む。操作表示パネル２ａは、操作部４ａと表示部５ａとを含む。操作部４ａは、洗濯機１００を操作するためのスイッチを含む。操作部４ａのスイッチは、機械式のスイッチである。或いは、操作部４ａのスイッチは、タッチパネル式のスイッチであり、各スイッチのタッチ位置にスイッチを示す印刷表示が配置されていてもよい。表示部５ａは、洗濯機１００に関する情報を表示する。
【００６７】
導光板ディスプレイ３ａは、導光板１０ａと、図示しない複数の光源と制御部と記憶部とを含む。導光板１０ａは、操作表示パネル２ａ上に重ねて配置されている。導光板ディスプレイ３ａの構成については、上述した実施形態と同様であるため、詳細な説明を省略する。
【００６８】
操作部４ａは、電源スイッチ６１と、スタートスイッチ６２と、複数の設定スイッチ６３，６４とを含む。電源スイッチ６１は、洗濯機１００の電源のオン・オフを切り換えるためのスイッチである。スタートスイッチ６２は、洗濯機１００による洗濯を開始するためのスイッチである。設定スイッチ６３，６４は、行程設定スイッチ６３とコース設定スイッチ６４とを含む。
【００６９】
行程設定スイッチ６３は、「洗い」、「すすぎ」、「脱水」などの洗濯の各行程を選択するためのスイッチである。行程設定による個別の行程の設定が無い場合には、スタートスイッチ６２が操作されると、各行程が順次、自動的に実行される。
【００７０】
コース設定スイッチ６４は、「おまかせ」、「スピード」、「漕洗浄」などの洗濯のコースを選択するためのスイッチである。コース設定スイッチ６４によってコースが選択された後、スタートスイッチ６２が操作されると、選択されたコースに従って洗濯が行われる。
【００７１】
表示部５ａは、液晶ディスプレイ６０と、複数の印刷表示６５とを含む。液晶ディスプレイ６０は、７セグメント表示のディスプレイである。液晶ディスプレイ６０は、洗濯の残り時間や、或いは、ユーザーによって設定された水量、或いは時間を表示する。印刷表示６５のそれぞれは、コース設定スイッチ６４に割り当てられたコースに対応している。なお、図面においては複数の印刷表示６５の一部のみに符号を付している。
【００７２】
導光板ディスプレイ３ａは、第１表示領域６６と第２表示領域６７とを含む。第１表示領域６６は、液晶ディスプレイ６０及び印刷表示６５と重なる位置に配置されている。第２表示領域６７は、液晶ディスプレイ６０及び印刷表示６５と重ならない位置に配置されている。
【００７３】
図１７に示すように、導光板ディスプレイ３ａは、第１表示領域６６に、洗濯機１００の動作モードを表示する。導光板ディスプレイ３ａは、洗濯機１００の動作モードに応じて、第１表示領域６６のモード表示６８を切り換える。動作モードは、上述した「洗い」、「すすぎ」、「脱水」などの洗濯の各行程であり、モード表示６８は、実行中の各行程を示す。このように本実施例では、洗濯機１００で実行中の動作モードが第１表示領域６６に大きく目立つように表示される。それにより、視認性を向上させることができる。
【００７４】
また、導光板ディスプレイ３ａは、第２表示領域６７に、図１７に示す第１パラメータ表示６９と、図１８に示す第２パラメータ表示７０とを選択的に表示する。第１パラメータ表示６９は、洗濯機１００に関する第１のパラメータを示す。第２パラメータ表示７０は、第１のパラメータと異なる洗濯機１００の第２のパラメータを示す。
【００７５】
図１７に示すように、第１パラメータ表示６９は、例えば洗濯の設定レベルを示す。設定レベルは、洗濯物の量に応じたレベルである。第１パラメータ表示６９は、複数のバー型のセグメントで示される。導光板ディスプレイ３ａは、設定レベルに応じて、表示されるセグメントの数を変更する。
【００７６】
操作部４ａは、第２表示領域６７の近くに配置される増加スイッチ７１と減少スイッチ７２とを含む。ユーザーは増加スイッチ７１と減少スイッチ７２とを操作することで、設定レベルを変更することができる。増加スイッチ７１と減少スイッチ７２とはタッチパネル式のスイッチであってもよい。導光板ディスプレイ３ａは、増加スイッチ７１と減少スイッチ７２とに対応する位置に、スイッチを示すパターンを表示してもよい。或いは、増加スイッチ７１と減少スイッチ７２とは、機械式のスイッチであってもよい。
【００７７】
図１７に示すように、第２パラメータ表示７０は、例えば洗濯の残り時間を示す。第２パラメータ表示７０は、複数のバー型のセグメントで示される。導光板ディスプレイ３ａは、残り時間に応じて、表示されるセグメントの数を変更する。
【００７８】
なお、導光板ディスプレイ３ａは、制御部１３が検出した洗濯の設定レベルを第１パラメータ表示６９によって表示してもよい。また、増加スイッチ７１と減少スイッチ７２とを操作することで、ユーザーが洗濯時間を設定可能であってもよい。導光板ディスプレイ３ａは、ユーザーの操作に応じて設定された洗濯時間を第２パラメータ表示７０によって表示してもよい。第１パラメータ表示６９と第２パラメータ表示７０との切換は、ユーザーが操作部４ａを操作することで行われてもよい。
【００７９】
また、図１９に示すように、導光板ディスプレイ３ａは、印刷表示６５の一部に一部に重ねて強調表示７３を表示する。導光板ディスプレイ３ａは、複数の印刷表示６５のうちコース設定スイッチ６４によって選択されたコースに対応するものに重ねて強調表示７３を表示する。強調表示７３は、印刷表示６５と異なる色を有する。或いは、導光板ディスプレイ３ａは、複数の印刷表示６５のうち実行中のコースに対応するものに重ねて強調表示７３を表示してもよい。
【００８０】
以上のように、第１実施例では、低コストで洗濯機１００の操作表示装置１ａの視認性を向上させることができる。なお、導光板ディスプレイ３ａは、動作モードと異なるユーザーへの通知を表示してもよい。例えば、「洗剤補充」の通知、「フィルタ清掃」の通知、「偏心」の通知であってもよい。或いは、導光板ディスプレイ３ａは、次の作業を説明するためのガイドを表示してもよい。
【００８１】
次に、第２実施例について説明する。図２０は、第２実施例に係るファンヒーター２００を示す斜視図である。図２０に示すように、ファンヒーター２００の上部には操作表示装置１ｂが配置されている。図２１は、第２実施例に係る操作表示装置１ｂの一例を示す図である。
【００８２】
図２１に示すように、操作表示装置１ｂは、操作表示パネル２ｂと、導光板ディスプレイ３ｂとを含む。操作表示パネル２ｂは、操作部４ｂと表示部５ｂとを含む。操作部４ｂは、ファンヒーター２００を操作するためのスイッチである。表示部５ｂは、ファンヒーター２００に関する情報を表示する。
【００８３】
導光板ディスプレイ３ｂは、導光板１０ｂと、図示しない複数の光源と制御部と記憶部とを含む。導光板１０ｂは、操作表示パネル２ｂ上に重ねて配置されている。導光板ディスプレイ３ｂの構成については、上述した実施形態と同様であるため、詳細な説明を省略する。
【００８４】
操作部４ｂは、運転スイッチ８１と設定スイッチ８２，８３とを含む。運転スイッチ８１は、ファンヒーター２００のオン・オフを切り換えるためのスイッチである。設定スイッチ８２，８３は、増加スイッチ８１と減少スイッチ８２とを含む。ユーザーは増加スイッチ８１と減少スイッチ８２とを操作することで、設定温度を変更することができる。
【００８５】
表示部５ｂは、液晶ディスプレイ８３を含む。液晶ディスプレイ８３は、セグメント方式のディスプレイである。液晶ディスプレイ８３は、７セグメント表示部８４と、燃料表示部８５とを含む。７セグメント表示部８４は、設定温度と室内温度とを表示する。燃料表示部８５は、燃料の残量を表示する。本実施例では、燃料表示部８５はバー型のセグメントであるが、これと異なる形状であってもよい。
【００８６】
導光板ディスプレイ３ｂは、ファンヒーター２００の状態に応じて、複数の警告表示を切り換えて導光板１０ｂに表示する。図２２に示すように、導光板ディスプレイ３ｂは、液晶ディスプレイ８３に重ねて、警告表示８６を表示する。警告表示８６は、例えば、図２２（Ａ）に示す換気の警告表示８７、図２２（Ｂ）に示すフィルタの警告表示８８、図２２（Ｃ）に示す自動消火の警告表示８９、図２２（Ｄ）に示すオイルの警告表示９０を含む。
【００８７】
換気の警告表示８７は、ファンヒーター２００の連続運転時間が所定時間以上となったときに、表示される。フィルタの警告表示８８は、前回のフィルタ交換時からの累積運転時間が所定時間以上となったときに、表示される。自動消火の警告表示８９は、操作部４ｂの操作が無い状態でファンヒーター２００の連続運転時間が所定時間以上となったときに、表示される。オイルの警告表示９０は、燃料の残量が無くなったときに表示される。
【００８８】
このように、導光板ディスプレイ３ｂは、液晶ディスプレイ８３に重ねて、警告表示８６を大きく目立つように表示することができる。それにより、視認性を向上させることができる。
【００８９】
なお、導光板ディスプレイ３ｂは、警告表示８６を点滅して表示してもよい。その場合、ユーザーは、警告表示８６だけではなく、液晶ディスプレイ８３の表示も容易に読み取ることができる。
【００９０】
導光板ディスプレイ３ｂは、表示部５ｂに重ねて、第１パラメータ表示９１と第２パラメータ表示９２とを切り換えて表示可能であってもよい。例えば、図２３（Ｂ）に示すように、第１パラメータ表示９１は、複数のセグメントによって燃料の残量を示してもよい。導光板ディスプレイ３ｂは、上述した液晶ディスプレイ８３の燃料表示部８５に代えて、或いは、燃料表示部８５に加えて、第１パラメータ表示９１によって燃料の残量を表示してもよい。
【００９１】
図２３（Ｂ）に示すように、第２パラメータ表示９２は、複数のセグメントによって、自動消火までの残り時間を示してもよい。導光板ディスプレイ３ｂは、第１パラメータ表示９１と第２パラメータ表示９２とを液晶ディスプレイ８３の表示よりも大きく目立つように表示することで、視認性を向上させることができる。
【００９２】
図２４に示すように、導光板ディスプレイ３ｂは、警告表示９３として、自動消火が実行されるまでの残り時間を表示してもよい。このように、警告表示９３が大きく目立つように表示されることで、視認性を向上させることができる。
【００９３】
以上、本発明の一実施形態について説明したが、本発明は上記実施形態に限定されるものではなく、発明の要旨を逸脱しない範囲で種々の変更が可能である。
【００９４】
操作表示装置は、上述した機器以外にも、様々な機器に適用することができる。例えば、操作表示装置は、電子レンジ、冷蔵庫、炊飯器、IH調理器、食器洗い機などのキッチン用機器に適用することができる。操作表示装置は、テレビ、ブルーレイプレーヤー、DVDプレーヤーなどの映像・音響機器に適用することができる。操作表示装置は、電話機、ファックスなどの通信機器に適用することができる。操作表示装置は、給湯器のリモコン、エアコン、空気清浄機、加湿器などの住宅用機器に適用することができる。操作表示装置は、血圧計、マッサージチェア等の健康用機器に適用することができる。また、操作表示装置は、上述したような家電機器に限らず、産業用機器、車載機器等の他の機器に適用されてもよい。
【００９５】
導光板ディスプレイの表示は、上述した表示例及び実施例に限らず、変更されてもよい。導光板ディスプレイの構成は、上述したものに限らず、変更されてもよい。例えば、プリズムの形状は、上述した三角錐型に限らず、変更されてもよい。プリズムは、図２５（Ａ）に示すような三角柱型、或いは他の多面体型であってもよい。或いは、プリズムは、図２５（Ｂ）に示すように両端が先細りの形状を有してもよい。
【００９６】
複数の光源の配置は、上述したものに限らず、変更されてもよい。例えば、図２６（Ａ）に示すように、光源１１，１２は、２方向から光を照射するように配置されてもよい。或いは、図２６（Ｂ）に示すように、複数の光源１１１−１１４が、４方向から光を照射するように配置されてもよい。なお、図示を省略するが、３方向から光を照射するように複数の光源が配置されてもよい。光源１１，１２，１１１−１１４は、それぞれ複数の発光素子を含んでもよい。
【００９７】
なお、図２６（Ａ）においては、導光板ディスプレイ３はコリメートレンズ１２１−１２２を含んでいる。図２６（Ｂ）においては、導光板ディスプレイ３はコリメートレンズ１２１−１２４を含んでいる。コリメートレンズは、光源からの光を所定方向に平行化する。ただし、コリメートレンズは省略されてもよい。
【産業上の利用可能性】
【００９８】
本発明によれば、低コストで操作表示装置の視認性を向上させることができる。
【符号の説明】
【００９９】
１          操作表示装置
２          操作表示パネル
４          操作部
５          表示部
１０        導光板
１１，１２  光源
１３        制御部
２０        プリズム
【図１】
2019154859.tif 000003
【図２】
2019154859.tif 000004
【図３】
2019154859.tif 000005
【図４】
2019154859.tif 000006
【図５】
2019154859.tif 000007
【図６】
2019154859.tif 000008
【図７】
2019154859.tif 000009
【図８】
2019154859.tif 000010
【図９】
2019154859.tif 000011
【図１０】
2019154859.tif 000012
【図１１】
2019154859.tif 000013
【図１２】
2019154859.tif 000014
【図１３】
2019154859.tif 000015
【図１４】
2019154859.tif 000016
【図１５】
2019154859.tif 000017
【図１６】
2019154859.tif 000018
【図１７】
2019154859.tif 000019
【図１８】
2019154859.tif 000020
【図１９】
2019154859.tif 000021
【図２０】
2019154859.tif 000022
【図２１】
2019154859.tif 000023
【図２２】
2019154859.tif 000024
【図２３】
2019154859.tif 000025
【図２４】
2019154859.tif 000026
【図２５】
2019154859.tif 000027
【図２６】
2019154859.tif 000028